(57)【要約】【課題】内容物を吐出孔から吐出する際に要する押下ヘッドへの押下力を低減する。【解決手段】ピストンガイド１７は、ステム１１内に嵌合され、ステムから下方に突出し、ピストン１４の内側を上下方向に貫き、ピストンガイドの下端部１３は、有頂筒状に形成され、コイルスプリング１９は、ピストンガイドの下端部内に挿入された上端ばね部１９ａと、上端ばね部から下方に向けて延び、上端ばね部より外径および内径が大きい本体ばね部１９ｂと、を備え、本体ばね部の上端開口縁と、ピストンガイドの下端開口縁と、が当接し、上端ばね部の上端開口縁は、ピストンガイドの下端部の内面と非接触となっている。【選択図】図１
2020083327.tif 000002
【特許請求の範囲】
【請求項１】
容器本体の口部に装着される装着キャップと、
前記装着キャップに、上方付勢状態で下方移動可能に貫設されたステムを有するポンプと、
前記ステムの上端部に装着されるとともに、内容物を吐出する吐出孔が形成された押下ヘッドと、を備え、
前記ポンプは、
前記ステムの上下動に連係する筒状のピストンと、
前記ピストンが上下摺動可能に嵌合されたシリンダと、
前記ステム内に嵌合され、前記ステムから下方に突出し、前記ピストンの内側を上下方向に貫くピストンガイドと、
前記シリンダの下端開口を開閉する下部弁体と、
前記シリンダ内に配設され、前記ピストンガイドを上方に付勢するコイルスプリングと、を備え、
前記シリンダは、内側に前記下部弁体が配設された収容筒部を備え、
前記下部弁体は、前記収容筒部内に嵌合された嵌合部と、前記嵌合部の内側に配設され、前記シリンダの下端開口を開閉する弁本体と、弾性変形可能に形成されるとともに、前記弁本体と前記嵌合部の内周面とを連結する連結片と、を備える吐出器であって、
前記ピストンガイドの下端部は有頂筒状に形成され、
前記コイルスプリングは、前記ピストンガイドの下端部内に挿入された上端ばね部と、前記上端ばね部から下方に向けて延び、前記上端ばね部より外径および内径が大きい本体ばね部と、を備え、
前記本体ばね部の上端開口縁と、前記ピストンガイドの下端開口縁と、が当接し、
前記上端ばね部の上端開口縁は、前記ピストンガイドの下端部の内面と非接触となっている、吐出器。
【請求項２】
前記上端ばね部の外周面は、前記ピストンガイドの下端部の内周面に当接、若しくは近接している、請求項１に記載の吐出器。
【発明の詳細な説明】
【技術分野】
【０００１】
本発明は、吐出器に関するものである。
【背景技術】
【０００２】
従来から、例えば下記特許文献１に示されるような、容器本体の口部に装着される装着キャップと、装着キャップに、上方付勢状態で下方移動可能に貫設されたステムを有するポンプと、ステムの上端部に装着されるとともに、内容物を吐出する吐出孔が形成された押下ヘッドと、を備え、ポンプは、ステムの上下動に連係する筒状のピストンと、ピストンが上下摺動可能に嵌合されたシリンダと、ステム内に嵌合され、ステムから下方に突出し、ピストンの内側を上下方向に貫くピストンガイドと、シリンダの下端開口を開閉する下部弁体と、シリンダ内に配設され、ピストンガイドを上方に付勢するコイルスプリングと、を備える吐出器が知られている。
【先行技術文献】
【特許文献】
【０００３】
【特許文献１】特開２０１５−１８２８０１号公報
【発明の概要】
【発明が解決しようとする課題】
【０００４】
しかしながら、前記従来の吐出器では、内容物を吐出孔から吐出する際に要する押下ヘッドへの押下力を低減することに改善の余地があった。
【０００５】
本発明は、このような事情を考慮してなされたもので、内容物を吐出孔から吐出する際に要する押下ヘッドへの押下力を低減することができる吐出器を提供することを目的とする。
【課題を解決するための手段】
【０００６】
上記課題を解決して、このような目的を達成するために、本発明の吐出器は、容器本体の口部に装着される装着キャップと、前記装着キャップに、上方付勢状態で下方移動可能に貫設されたステムを有するポンプと、前記ステムの上端部に装着されるとともに、内容物を吐出する吐出孔が形成された押下ヘッドと、を備え、前記ポンプは、前記ステムの上下動に連係する筒状のピストンと、前記ピストンが上下摺動可能に嵌合されたシリンダと、前記ステム内に嵌合され、前記ステムから下方に突出し、前記ピストンの内側を上下方向に貫くピストンガイドと、前記シリンダの下端開口を開閉する下部弁体と、前記シリンダ内に配設され、前記ピストンガイドを上方に付勢するコイルスプリングと、を備え、前記シリンダは、内側に前記下部弁体が配設された収容筒部を備え、前記下部弁体は、前記収容筒部内に嵌合された嵌合部と、前記嵌合部の内側に配設され、前記シリンダの下端開口を開閉する弁本体と、弾性変形可能に形成されるとともに、前記弁本体と前記嵌合部の内周面とを連結する連結片と、を備える吐出器であって、前記ピストンガイドの下端部は有頂筒状に形成され、前記コイルスプリングは、前記ピストンガイドの下端部内に挿入された上端ばね部と、前記上端ばね部から下方に向けて延び、前記上端ばね部より外径および内径が大きい本体ばね部と、を備え、前記本体ばね部の上端開口縁と、前記ピストンガイドの下端開口縁と、が当接し、前記上端ばね部の上端開口縁は、前記ピストンガイドの下端部の内面と非接触となっている。
【０００７】
この発明によれば、コイルスプリングが、ピストンガイドの下端部内に挿入された上端ばね部から下方に向けて延び、かつ上端ばね部より外径および内径が大きい本体ばね部を備え、この本体ばね部の上端開口縁と、ピストンガイドの下端開口縁と、が当接しているので、押下ヘッドを押下して、ステムおよびピストンガイドを下方移動させるときに、上端ばね部より外径および内径が大きい本体ばね部に上下方向の圧縮力が加えられることとなる。したがって、外径および内径が上端ばね部と同等のコイルスプリングに上下方向の圧縮力が加えられる場合と比べて、発生する上方付勢力を低く抑えることが可能になり、内容物を吐出孔から吐出する際に要する押下ヘッドへの押下力を低減することができる。
コイルスプリングのうち、内径および外径の小さい上端ばね部が、ピストンガイドの下端部内に挿入されているので、コイルスプリングを容易に組み付けることが可能になり、セット性を向上させることができる。
【０００８】
ここで、前記上端ばね部の外周面は、前記ピストンガイドの下端部の内周面に当接、若しくは近接してもよい。
【０００９】
この場合、上端ばね部の外周面が、ピストンガイドの下端部の内周面に当接、若しくは近接しているので、コイルスプリングがピストンガイドに対して径方向にぐらつくのを抑制することができる。
【発明の効果】
【００１０】
本発明によれば、内容物を吐出孔から吐出する際に要する押下ヘッドへの押下力を低減することができる。
【図面の簡単な説明】
【００１１】
【図１】本発明に係る一実施形態として示した吐出器の縦断面図であって、押下ヘッドが下降端位置に位置した状態を示す図である。
【図２】本発明に係る一実施形態として示した吐出器の縦断面図であって、押下ヘッドが上昇端位置に位置した状態を示す図である。
【発明を実施するための形態】
【００１２】
以下、図面を参照し、本発明の一実施形態に係る吐出器１について説明する。
本実施形態の吐出器１は、図１および図２に示されるように、容器本体Ｗの口部Ｗ２に装着される装着キャップ２１と、装着キャップ２１に、上方付勢状態で下方移動可能に貫設されたステム１１を有するポンプ２４と、ステム１１の上端部に装着されるとともに、内容物を吐出する吐出孔１６ａが形成された押下ヘッド１６と、下降端位置に位置する押下ヘッド１６が離脱可能に装着され、押下ヘッド１６およびステム１１の上方移動を規制する規制筒２２と、を備える。
【００１３】
ポンプ２４は、ステム１１の上下動に連係する筒状のピストン１４と、ピストン１４が上下摺動可能に嵌合された摺動筒部１５ａを有するシリンダ１５と、ステム１１内に嵌合され、ステム１１から下方に突出し、ピストン１４の内側を上下方向に貫くピストンガイド１７と、シリンダ１５の下端開口を開閉する下部弁体１８と、シリンダ１５内に配設され、ピストンガイド１７を上方に付勢するコイルスプリング１９と、を備える。
【００１４】
装着キャップ２１、ステム１１、規制筒２２、ピストン１４、シリンダ１５、およびコイルスプリング１９はそれぞれ、上下方向に延びる共通軸と同軸に配設されている。以下、この共通軸を軸線Ｏといい、上下方向から見て、軸線Ｏに交差する方向を径方向といい、軸線Ｏ回りに周回する方向を周方向という。
【００１５】
容器本体Ｗは、内容物の減少に伴って減容変形する可撓性を有する袋状のパウチＷ１と、パウチＷ１の上端部に固定され、口部Ｗ２を有するスパウトＷ３と、を備える。
ピストン１４は、シリンダ１５の内周面に摺接する外筒２８と、外筒２８の内側に配設された内筒２９と、外筒２８と内筒２９とを全周にわたって連結する環状の連結部２７と、を備える。
連結部２７は、外筒２８および内筒２９それぞれにおける上端部と下端部との間に位置する中間部同士を連結している。図２に示されるような、押下ヘッド１６およびステム１１が上昇端位置に位置する待機状態では、連結部２７の上面は、ステム１１の下端開口縁の下方に位置しており、押下ヘッド１６を押下したときに、ステム１１の下端開口縁が、連結部２７の上面に当接する。内筒２９は、ステム１１の下端部内に上下摺動自在に嵌合されている。
【００１６】
シリンダ１５の上部に径方向の外側に向けて突出するフランジ部１５ｄが全周にわたって形成され、フランジ部１５ｄが、容器本体Ｗの口部Ｗ２の上端開口縁上に配置されている。シリンダ１５は、摺動筒部１５ａより下方に位置し、内径が摺動筒部１５ａの内径より小さく、内側に下部弁体１８が配設された収容筒部１５ｂと、収容筒部１５ｂから下方に向けて突出した連結筒部１５ｃと、を備える。
連結筒部１５ｃ内に、下端開口が容器本体Ｗの底部に位置する吸い上げパイプ１５ｅが嵌合されている。
【００１７】
装着キャップ２１は、環状の天壁部２１ａを備える有頂筒状に形成されている。装着キャップ２１の内周面に、口部Ｗ２に螺着される雌ねじ部が形成されている。
天壁部２１ａは、シリンダ１５のフランジ部１５ｄの上面に配置されている。天壁部２１ａの内側に、シリンダ１５のうち、フランジ部１５ｄより上方に位置する上端部が挿通されている。
【００１８】
ピストンガイド１７は、ステム１１の下部内に嵌合された筒状の装着部３１を備える。装着部３１は、ステム１１の下端開口から下方に突出している。図１に示されるように、ピストンガイド１７が下降端位置に位置した状態で、装着部３１は、シリンダ１５の摺動筒部１５ａ内に位置する。装着部３１の下端部に、径方向に開口する貫通孔３１ｂが形成されている。貫通孔３１ｂは、径方向の外側から見て、長辺が上下方向に真直ぐ延び、かつ短辺が上下方向の外側に向けて突の曲線状を呈する、上下方向に長い長方形状を呈する。
【００１９】
ピストンガイド１７は、装着部３１の下端部から下方に向けて突出する栓部（下端部）１３を備える。栓部１３は有頂筒状に形成されている。栓部１３の周壁部の内径および外径はそれぞれ、装着部３１の内径および外径より大きい。栓部１３の周壁部の内径は、装着部３１の外径より大きい。栓部１３の天壁部のうち、径方向の外側部分は、周壁部の上端部から径方向の内側に向かうに従い漸次、上方に向けて延び、径方向の内側部分は、平坦に形成され、装着部３１の下端部に接続されている。
【００２０】
押下ヘッド１６およびステム１１が上昇端位置に位置する待機状態で、栓部１３の天壁部における径方向の外側部分の上面に、ピストン１４の内筒２９の下端部が当接している。これにより、シリンダ１５内において、ピストン１４より下方に位置する部分と、ピストンガイド１７の貫通孔３１ｂと、の連通が遮断されている。
押下ヘッド１６を押下すると、栓部１３の天壁部における径方向の外側部分の上面が、ピストン１４の内筒２９の下端部から下方に離れ、シリンダ１５内において、ピストン１４より下方に位置する部分と、ピストンガイド１７の貫通孔３１ｂと、が連通する。
押下ヘッド１６を押下して内容物を吐出した後、ステム１１が上方に復元移動する際に、栓部１３の天壁部における径方向の外側部分の上面が、ピストン１４の内筒２９の下端部に当接することで、シリンダ１５内において、ピストン１４より下方に位置する部分と、ピストンガイド１７の貫通孔３１ｂと、の連通が遮断された状態で、ピストン１４が上方に復元移動する。
【００２１】
栓部１３の周壁部の外周面に、シリンダ１５の摺動筒部１５ａの内周面に近接する近接突起１３ａが周方向に間隔をあけて複数形成されている。近接突起１３ａにおける径方向の外端部は、シリンダ１５の収容筒部１５ｂの内周面より径方向の外側に位置している。ピストンガイド１７が下降端位置に位置した状態で、近接突起１３ａは、シリンダ１５の摺動筒部１５ａ内の下端部に位置する。近接突起１３ａは、栓部１３の周壁部の上端部に配設されている。
【００２２】
栓部１３の周壁部において、近接突起１３ａより下方に位置する下部は、ピストンガイド１７が押下ヘッド１６およびステム１１とともに下降端位置に位置したときに、収容筒部１５ｂ内に離脱可能に嵌合され、この収容筒部１５ｂ内と摺動筒部１５ａ内との連通を遮断する。
【００２３】
下部弁体１８は、押下ヘッド１６およびステム１１が上昇端位置に位置する待機状態で、シリンダ１５内において、ピストンガイド１７の下方に位置する部分に配設されている。下部弁体１８は収容筒部１５ｂ内に配設されている。図示の例では、下部弁体１８の上端部は、摺動筒部１５ａの下端部内に位置している。
下部弁体１８は、収容筒部１５ｂ内に嵌合された嵌合部３３と、嵌合部３３の内側に配設され、シリンダ１５の下端開口を開閉する弁本体３４と、弾性変形可能に形成されるとともに、弁本体３４と嵌合部３３の内周面とを連結する連結片３４ａと、を備える。
【００２４】
嵌合部３３は、収容筒部１５ｂの下端部内に嵌合された下部３３ａと、下部３３ａから上方に向けて延びる上部３３ｂと、を備える。
上部３３ｂは、下部３３ａより径方向の内側に位置している。上部３３ｂは、軸線Ｏ上に配置されている。
下部３３ａは、下端部に位置し全周にわたって連続して延びる環状体と、環状体の上端開口縁と上部３３ｂの下端縁とを連結する連結板と、を備える。連結板は、軸線Ｏを径方向に挟む両側に各別に配置され、上方を向く座面３３ｃを有する。座面３３ｃは、ピストンガイド１７の栓部１３の下端開口縁と上下方向で対向している。
【００２５】
弁本体３４は、収容筒部１５ｂの内面における、収容筒部１５ｂの下端開口の周縁部に、上方に向けて離反可能に載置されている。弁本体３４は、嵌合部３３の下部３３ａの内側に配設されている。弁本体３４は、嵌合部３３の下部３３ａにおける前記環状体の内周面に、弾性変形可能な連結片３４ａを介して連結されている。
【００２６】
下部弁体１８は、シリンダ１５内の加圧時に、シリンダ１５の下端開口を閉塞したままに維持し、シリンダ１５内の減圧時に、シリンダ１５の下端開口を開放する逆止弁となっている。これにより、シリンダ１５内の加圧時に、シリンダ１５内の内容物がシリンダ１５の下端開口から容器本体Ｗ内に戻ることが阻止され、シリンダ１５内の減圧時に、容器本体Ｗ内の内容物がシリンダ１５の下端開口からシリンダ１５内に流入する。
【００２７】
コイルスプリング１９は、ピストンガイド１７の栓部１３内に挿入された上端ばね部１９ａと、上端ばね部１９ａから下方に向けて延び、上端ばね部１９ａより外径および内径が大きい本体ばね部１９ｂと、を備え、ステム１１およびピストンガイド１７を一体に上方に向けて付勢する。
【００２８】
上端ばね部１９ａの外周面は、ピストンガイド１７の栓部１３の内周面に当接、若しくは近接している。上端ばね部１９ａの上端開口縁は、栓部１３の天壁部の下面より下方に位置しており、栓部１３の内面と非接触となっている。上端ばね部１９ａの長さは、本体ばね部１９ｂの長さより短い。
本体ばね部１９ｂの上端開口縁と、栓部１３の下端開口縁と、が当接している。栓部１３の厚さは、コイルスプリング１９の線径と同等になっている。本体ばね部１９ｂの下部の内側に、嵌合部３３の上部３３ｂが挿入されている。本体ばね部１９ｂの下端部の内周面は、上部３３ｂに当接、若しくは近接している。本体ばね部１９ｂの下端開口縁が、嵌合部３３の座面３３ｃに当接している。
【００２９】
押下ヘッド１６は、ステム１１の上端部に外嵌された嵌合筒１６ｂと、嵌合筒１６ｂから径方向の外側に向けて突出し、その先端に吐出孔１６ａが形成された吐出筒１６ｃと、嵌合筒１６ｂを径方向の外側から囲う螺着筒１６ｄと、を備える。吐出筒１６ｃは、螺着筒１６ｄを径方向に貫いている。嵌合筒１６ｂの外周面に、全周にわたって連続して延びるシール突部１６ｅが形成されている。
【００３０】
規制筒２２は、シリンダ１５の上端部に外嵌された外嵌筒２２ａと、下降端位置に位置する押下ヘッド１６の螺着筒１６ｄが螺着される雄ねじ筒２２ｂと、を備える。
外嵌筒２２ａの下端部は、装着キャップ２１の天壁部２１ａの内周縁部に連結されており、規制筒２２および装着キャップ２１は一体に形成されている。
【００３１】
雄ねじ筒２２ｂのうち、下部がシリンダ１５の上端部内に挿入され、かつ上部がシリンダ１５の上端部から上方に突出しており、この上部の外周面に雄ねじ部が形成されている。雄ねじ筒２２ｂの下部の外周面、およびシリンダ１５の上端部の内周面にはそれぞれ、互いに係合する回り止め部が形成されている。雄ねじ筒２２ｂの内周面と、ステム１１の外周面と、の間に、外部とピストン１４の外筒２８の内周面側とを連通する導入通路２５が形成されている。押下ヘッド１６およびステム１１が上昇端位置に位置する待機状態で、雄ねじ筒２２ｂの下端開口縁に、ピストン１４の外筒２８の上端開口縁が当接、若しくは近接する。
【００３２】
雄ねじ筒２２ｂの上端開口縁に、上方に向けて突出するシール筒部２２ｃが形成されている。ステム１１および押下ヘッド１６が下降端位置に位置して、押下ヘッド１６が規制筒２２に螺着された状態で、シール筒部２２ｃ内に、押下ヘッド１６のシール突部１６ｅが密に嵌合する。
【００３３】
以上のように構成された吐出器１の使用方法について説明する。
【００３４】
まず、下降端位置に位置する押下ヘッド１６を、規制筒２２に対して軸線Ｏ回りに回転させることで、押下ヘッド１６の螺着筒１６ｄの雌ねじ部と、規制筒２２の雄ねじ筒２２ｂの雄ねじ部と、の螺合を解除する。この際、押下ヘッド１６、ステム１１、およびピストンガイド１７が、シリンダ１５に対して上昇し、ピストンガイド１７の栓部１３が、シリンダ１５の収容筒部１５ｂから外れ、収容筒部１５ｂ内と摺動筒部１５ａ内とが連通する。そして、コイルスプリング１９の上方付勢力によって、ピストンガイド１７、ステム１１、および押下ヘッド１６が一体に上昇する。この過程において、ピストンガイド１７の栓部１３の天壁部における径方向の外側部分の上面が、ピストン１４の内筒２９の下端部に当接し、ピストン１４も上昇する。
これにより、シリンダ１５内が減圧することで、下部弁体１８がシリンダ１５の下端開口を開放し、容器本体Ｗ内の内容物が、吸い上げパイプ１５ｅを通してシリンダ１５内に流入する。
【００３５】
そして、押下ヘッド１６を押下して、ステム１１およびピストンガイド１７を下降移動させると、まず、ピストンガイド１７の栓部１３の天壁部における径方向の外側部分の上面が、ピストン１４の内筒２９の下端部から下方に離れて、シリンダ１５内において、ピストン１４より下方に位置する部分と、ピストンガイド１７の貫通孔３１ｂと、が連通し、また、ステム１１の下端開口縁が、ピストン１４の連結部２７の上面に当接する。さらに、この下降移動を継続すると、ピストン１４も下降移動することで、シリンダ１５内の内容物が、ピストンガイド１７における貫通孔３１ｂおよび装着部３１内を通して、ステム１１内に流入し、吐出孔１６ａから吐出される。
次に、押下ヘッド１６の押下を解除すると、コイルスプリング１９の上方付勢力によって、前述と同様に、ピストンガイド１７、ピストン１４、ステム１１、および押下ヘッド１６が上方に復元移動し、容器本体Ｗ内の内容物がシリンダ１５内に流入する。
【００３６】
以上説明したように、本実施形態による吐出器１によれば、コイルスプリング１９が、ピストンガイド１７の栓部１３内に挿入された上端ばね部１９ａから下方に向けて延び、かつ上端ばね部１９ａより外径および内径が大きい本体ばね部１９ｂを備え、この本体ばね部１９ｂの上端開口縁と、ピストンガイド１７の下端開口縁と、が当接しているので、押下ヘッド１６を押下して、ステム１１およびピストンガイド１７を下方移動させるときに、上端ばね部１９ａより外径および内径が大きい本体ばね部１９ｂに上下方向の圧縮力が加えられることとなる。したがって、外径および内径が上端ばね部１９ａと同等のコイルスプリングに上下方向の圧縮力が加えられる場合と比べて、発生する上方付勢力を低く抑えることが可能になり、内容物を吐出孔１６ａから吐出する際に要する押下ヘッド１６への押下力を低減することができる。
【００３７】
コイルスプリング１９のうち、内径および外径の小さい上端ばね部１９ａが、ピストンガイド１７の栓部１３内に挿入されているので、コイルスプリング１９を容易に組み付けることが可能になり、セット性を向上させることができる。
また、上端ばね部１９ａの外周面が、ピストンガイド１７の栓部１３の内周面に当接、若しくは近接しているので、コイルスプリング１９がピストンガイド１７に対して径方向にぐらつくのを抑制することができる。
【００３８】
本発明は上記した実施の形態に限定されるものではなく、その趣旨を逸脱しない範囲で適宜変更可能である。
【００３９】
例えば  前記実施形態では、規制筒２２として、下降端位置に位置する押下ヘッド１６が離脱可能に螺着される構成を示したが、これに限らず例えば、押下ヘッドが離脱可能にアンダーカット嵌合される構成にする等、適宜変更してもよい。
装着キャップ２１および規制筒２２は別部材であってもよく、また、規制筒２２は有しなくてもよい。
上端ばね部１９ａの上端開口縁を、栓部１３の内面に当接させてもよい。
シリンダ１５に、径方向に開口し、容器本体Ｗ内とシリンダ１５内とを連通する導入孔を形成してもよい。この導入孔は、図２に示されるような、前述の待機状態で、外筒２８の外周面に閉塞されてもよい。シリンダ１５に導入孔を形成した場合、容器本体Ｗは減容変形しなくてもよい。
【００４０】
その他、本発明の趣旨を逸脱しない範囲で、上記した実施の形態における構成要素を周知の構成要素に置き換えることは適宜可能であり、また、上記した変形例を適宜組み合わせてもよい。
【符号の説明】
【００４１】
１  吐出器
１１  ステム
１３  栓部（ピストンガイドの下端部）
１４  ピストン
１５  シリンダ
１５ｂ  収容筒部
１６  押下ヘッド
１６ａ  吐出孔
１７  ピストンガイド
１８  下部弁体
１９  コイルスプリング
１９ａ  上端ばね部
１９ｂ  本体ばね部
２１  装着キャップ
２４  ポンプ
３３  嵌合部
３４  弁本体
３４ａ  連結片
Ｗ  容器本体
Ｗ２  口部
【図１】
2020083327.tif 000003
【図２】
2020083327.tif 000004